【事件の表示】
　特許第２９２５０４８号「ディスクプレーヤの立ち上げ方法」の特許に対する特許異議の申立てについて、次のとおり決定する。
【結　論】
　訂正を認める。
　特許第２９２５０４８号の特許を取り消す。
【理　由】
１．手続の経緯
　本件特許第２９２５０４８号の請求項に係る発明は、平成４年５月１２日に特許出願されたものであって、平成１１年５月７日にその特許の設定登録がなされ、その後、中村吉孝より特許異議の申立がなされ、取消理由通知がなされ、その指定期間内である平成１２年６月５日に訂正請求がなされたものである。
２．訂正の適否
（１）訂正の内容
　特許明細書の特許請求の範囲の記載を、特許請求の範囲の減縮及び明瞭でない記載の釈明を目的として、次のとおり訂正するものである。
「【請求項１】ディスクを装填し、チャッキング終了後、ディスク・モータの立ち上げステップ、フォーカス・サーチのステップ、フォーカスクローズの確認ステップを順に実行してから、上記ディスク・モータの回転が定常回転であるかを確認し、希望チャプターの選択に入るような時間順序で立ち上げることにより、希望チャプターを選択して出画するディスクプレーヤの立ち上げ方法において、前記フォーカス・サーチのステップを前記ディスク・モータの立ち上げステップの直後に他のステップを介在させることなく実行させ、前記ディスク・モータの回転が定常回転に達するまでに要する時間内に、前記フォーカスクローズの確認ステップを終了することを特徴とするディスクプレーヤの立ち上げ方法。」
（２）訂正の適否
　前記訂正は、請求項についての訂正であって、特許請求の範囲の減縮を目的とするものであり、新規事項の追加に該当せず、実質上特許請求の範囲を拡張し、又は変更するものではないので、前記訂正請求は、特許法第120条の４第２項の規定及び同条第３項で準用する第126条第２項及び第３項の規定に適合するので、当該訂正を認める。
３．特許異議の申立についての判断
（１）申立の理由の概要
　申立人は、甲第１号証として特開平３−１０４０２０号公報（以下、刊行物１という）、甲第２号証として特開昭５８−４８２４２号公報、甲第３号証として特開平２−２８７９９０号公報（以下、刊行物２という）を提出し、本件請求項に係る発明について、各刊行物に記載された発明に基づいて当業者が容易に発明をすることができたものであるとして、本件特許は、特許法第29条２項の規定に違反してなされたものであるから、特許を取り消すべきである旨主張している。
（２）本件発明
　本件請求項に係る発明（以下、本件発明という）は、訂正明細書及び図面の記載からみて、訂正後の特許請求の範囲に記載された前記（２．（１））したとおりのものである。
（３）刊行物の記載
　当審が通知した取消理由通知で引用した刊行物は、前記刊行物１及び刊行物２であって、各刊行物には以下の記載がある。
ア．刊行物１には、媒体の掛け替えから書込／読出可能なレディ状態になるまでの待ち時間を可能な限り短縮するようにしたディスク装置を提供することを目的としてなされたディスク装置に関する発明について、以下の記載がある。
・「（１）記録媒体（１０）の装着完了でモータ制御手段（１２）によりモータ（１４）を起動し、所定の回転速度に達してから情報の書込、読出を可能とするディスク装置に於いて、
　前記モータ起動から所定速度に達するまでのモータ回転立ち上がり時間中に、一定の媒体回転速度を制御条件として必要としない制御部に対し初期化処理を行わせる初期化制御手段（１６）を設けたことを特徴とするディスク装置。
（２）前記初期化制御手段（１６）は、光ディスク装置を対象とした場合、前記モータ回転立ち上がり時間中に、少なくとも発光制御手段（１８）によるレーザダイオードの発光調整、及びフォーカスサーボ手段（２０）による対物レンズのフォーカスサーボ引込みを行わせることを特徴とする請求項１記載のディスク装置。」（特許請求の範囲の欄）
・「ディスクの装着完了後にモータを起動し、所定速度に達してから書込／読出を可能とするディスク装置に関し、
　媒体装着から書込／読出可能なレディ状態になるまでの待ち時間を短縮することを目的とし、
　モータ回転立ち上がり時間中に、レーザダイオード発光調整、フォーカスサーボ引き込み調整等の一定媒体速度を制御条件に必要としない制御部の初期化処理を行うように構成する。」（第１頁右下欄第５〜１３行）
・「このような構成を備えた本発明のディスク装置によれば、媒体を掛け替えてから書込／読出可能状態となるまでの待ち時間が、モータ回転立ち上がりに平行して行われる初期化調整の時間分だけ短縮でき、媒体掛け替え後に速やかにアクセス状態に移行できる。」（第２頁左下欄第15行〜同頁右下欄第１行）
・「第２図は光ディスク装置を例にとって本発明の一実施例を示した実施例構成図である。
　第２図において、１０は光ディスクであり、例えばＩＳＯ規格の標準５インチ光ディスクを収納したカセット等が使用され、カセットを光ディスク装置にセットすると、図示しないローディング機構によりスピンドルモータ１４の回転軸に固着される。
　スピンドルモータ１４はモータ制御回路１２により制御される。即ち、光ディスク１０のローディング状態でスピンドルモータ１４は停止しており、光ディスクのローディング終了が検出されるとロジックコントローラとしてのＭＰＵ１６よりモータ制御回路１２にモータオン信号が出力され、スピンドルモータ１４が起動される。」（第２頁右下欄第３〜１７行）
・「次に第２図のＰＥＰビット検出回路３８及びインナセンサ４０を除いた構成となる本発明の第１実施例の動作を、第３図の動作フロー図及び第４図のタイミングチャートを参照して説明する。
　今、光ディスク装置に装着しているカセットディスクを取り出して新たなカセットディスクを装着すると、図示しないローディング機構によりスピンドルモータ１４に光ディスク１０が装着され、そのローディング終了の検出を受けて第３図のステップＳ１（以下、「ステップ」は省略）に示すように、ＭＰＵ１６はモータ制御回路１２にスピンドルモータのオン制御を指令する。モータ制御回路１２は目標回転数、例えば5400ｒｐｍに対応して発生している基準クロック信号と実回転として得られるインデックス信号の位相差を比較し、起動時はインデックス信号の基準信号に対する遅れが無限大であることから（インデックス信号が得られていない）スピンドルモータ１４を最大電流で駆動し、このため第４図の時刻ｔ１からモータ回転の立ち上がりが開始される。
　Ｓ１でスピンドルモータの起動が行なわれると次のＳ２に進み、モータ回転の立ち上がり中にまずレーザダイオードＬＤの発光調整を行なう。
　Ｓ２のレーザダイオード発光調整のためのＭＰＵ１６には光ディスク装置に使用する光ディスクに対応して予め定められたリード、ライト、イレーズの各発光量がセットされており、発光制御回路１８はＭＰＵ１６からの各アクセス毎における発光データを受けて光ヘッド２２のレーザダイオードを発光駆動し、この時の発光量はフォトダイオードによる発光量検出信号との偏差に応じた発光制御となり、リード、ライト、イレーズの各発光制御で得られた駆動電流値がその後のリード、ライト、イレーズの各々における発光制御値としてセットされる。即ち、レーザダイオードは素子自体のバラつきや、設定時のバラつき等により一義的に発光制御電流を規定することができないため、装置の立ち上がり時に実際に規定発光量が得られたときの駆動電流を制御値としてセットして、後の書込、読出、イレーズで使用する。このレーザダイオードの発光調整は、例えば第４図のモータ回転立ち上がり時間中の時刻ｔ２からｔ３にわたって行なわれる。
　続いてＳ３に進んでフォーカスサーボ調整が行なわれる。このフォーカスサーボ調整は、ＭＰＵ16がフォーカスサーボ回路２０をオンし、フォーカスサーボ回路２０は光ヘッド２２のフォーカッシングアクチュエータ２６を駆動して対物レンズを予め定めたフォーカスサーチ範囲、例えば１ｍｍの範囲で移動し、このサーチ動作の際にサーボ信号作成回路２８より得られるフォーカッシングエラー信号ＦＥＳが最小になった時にサーチ移動を停止してフォーカスサーボ回路２０によるサーボ制御をオンさせる。このＳ３のフォーカスサーボ調整は第４図の時刻ｔ１からｔ４に示す引込み及びフォーカスＯＮとなる。
　Ｓ３のフォーカスサーボ調整が終了するとＳ４に進み、規定速度、例えば5400ｒｐｍに到達したか否か監視しており、モータ制御回路１２より規定速度到達信号が得られると、Ｓ５に進んでトラッキングサーボ回路３０をオンし、最終的にＳ６でリード／ライト可能状態としてのレディオン状態に移行して、一連の立ち上がり時の処理を終了する。」（第３頁左下欄第１８行〜第４頁左下欄第２行）
・「以上説明してきたように本発明によれば、媒体を掛け替えてから書込・読出可能状態となるまでの待ち時間が、モータ回転立ち上がりに並行して行なわれる初期化調整の時間分だけ短縮でき、媒体掛け替え後に速やかにリード、ライトのアクセス状態に移行することができる。」（第６頁右上欄第１２〜１７行）　
　又、タイミングチャートを示す第４図には、レーザダイオードの発光調整及びフォーカスサーボの引き込み、フォーカスオンのフォーカスサーボ調整は、いずれも、スピンドルモータの回転立ち上げ開始時刻ｔ１から規定速度到達時刻ｔ５の時間中に終了することが示されており、結局、刊行物１には、以下のとおりの発明が記載されているものと認める。
　「記録媒体の装着完了で、スピンドルモータを起動し、
　モータの起動から所定速度に達するまでのモータ回転立ち上がり時間中に、レーザダイオード発光調整、フォーカスサーチからフォーカスサーボによるサーボ制御をオンさせるフォーカスサーボ引き込み調整等の一定の媒体回転速度を制御条件として必要としない制御部に対し初期化処理を実行、終了させ、
　該初期化処理の終了後、スピンドルモータの回転速度が規定速度に達しているか否かを判定し、回転速度が規定速度に達している場合、トラッキングサーボをオンとし、
　リード／ライト可能状態とする
　光ディスク装置の立ち上げ方法。」
イ．刊行物２には、ディスクに記録されている複数の画像プログラムをメニュー画面を用いて選択するプログラム選択装置に関する発明が記載され、更に、以下の事項が記載されている。
・「第４図はメニュー画面２２による従来のプログラム選択の手順のフローチャートを示す。
　まず、電源を投入し、ディスク１を駆動する（ステップ４０）。ディスク１に記録してあるメニュー画面２２を再生し、その出力信号を画像メモリ５に書き込んだ後、画像メモリ５から読みだしたメニュー画面２２に、カーソル発生回路11で発生させたカーソル２３をスーパーインポーズ回路６でスーパーインポーズさせ、画像表示装置７にメニュー画面を出力する（ステップ４１）。カーソル移動手段１２により、メニュー画面２２上のカーソル２３を移動させ、選択するプログラムに移動する（ステップ４２）。選択したプログラムが適切かどうかを判断する（ステップ４３）。選択したプログラムが適切でなければ、再度メニュー画面２２上のカーソル２３を移動させ、選択するプログラムに移動する。選択したプログラムが適切であれば、プログラム再生実行手段１４から再生実行命令を出力する（ステップ４４）。」（第２頁右上欄第６行〜同頁左下欄第４行）
（４）対比・判断
　本件発明と刊行物１に記載された発明とを対比する。
　両発明は、ディスク装置において、光ディスク装着完了後のモータの回転立ち上がり時に、ディスク装置を構成する要素部分の初期化処理を回転立ち上がりと並行して実行、終了することで、再生までの時間を短縮しようとする点で共通するものである。
　光ディスクの装着は、光ディスクのチャッキングによって完了することは、自明である。
　刊行物１記載の発明における初期化処理は、レーザダイオードの発光調整、及び対物レンズのフォーカスサーボ引込み調整を例とするものである。
　このフォーカスサーボ引き込み調整は、ＭＰＵ１６がフォーカスサーボ回路をオンすることで開始され、対物レンズをサーチ移動し、サーチ移動中フォーカッシングエラーＦＥＳが最小になったときサーチ移動を停止してフォーカスサーボ回路によるサーボ制御をオンとすることにより行われるものとされており、本件発明の「フォーカス・サーチ」及び「フォーカス・クローズ」に相当することは明らかである。
　　又、本件発明で、「希望チャプターの選択」、「希望チャプターを選択して出画する」は、ディスクプレーヤの再生動作の一態様とみられ、刊行物１記載の発明においても、リード／ライト可能状態から再生動作に移行することは明らかであるから、結局、両発明は、
「ディスクを装填し、チャッキング終了後、ディスク・モータの立ち上げステップ、フォーカス・サーチのステップ、フォーカスクローズのステップを順に実行してから、上記ディスク・モータの回転が定常回転であるかを確認し、再生動作に移行するディスクプレーヤの立ち上げ方法において、前記フォーカス・サーチのステップを実行させ、前記ディスク・モータの回転が定常回転に達するまでに要する時間内に、前記フォーカスクローズのステップを終了することを特徴とするディスクプレーヤの立ち上げ方法。」である点で一致し、以下の相違が認められる。
［相違点１］
　ディスクモータの回転が定常回転であるかの確認ステップの前に、本件発明では、フォーカスクローズの確認ステップを実行し、ディスク・モータの回転が定常回転に達するまでに要する時間内に、該確認ステップを終了するとしているのに対して、刊行物１記載の発明では、初期化処理を実行、終了させるとしているのみである点　
［相違点２］
　ディスク・モータが定常回転であるかを確認した後の再生動作の態様が、本件発明では、希望チャプターを選択して出画するとしているのに対して、刊行物１記載の発明では、単にリード可能状態とするとしている点
［相違点３］
　ディスク回転中に実行する初期化処理が、本件発明では、フォーカス調整のみであって、ディスク・モータの立ち上げステップの直後に他のステップを介在させることなくフォーカスサーチのステップを実行するとしているのに対して、刊行物１記載の発明では、初期化処理がレーザダイオード発光調整とフォーカスサーボの引き込み調整を例示していて、フォーカスサーチの実行がディスク・モータの立ち上げステップの直後で他のステップを介在していないということができない点
　以下、相違点について検討する。
［相違点１について］
　フォーカスクローズは、刊行物１記載の発明では、サーボ制御のオンとされているものであって、フォーカスサーボの引き込み調整は、ＭＰＵ１６の管理のもとに行なわれるものである。ＭＰＵ１６は、フォーカスサーチ動作中のフォーカッシングエラーの最小値を判定し、最小値判定時、サーボ制御をオンさせるものである。
　ＭＰＵ１６によって行なわれるサーボ制御のオン動作について、更にＭＰＵ１６が確認するステップを設けることは、冗長と考えられるが、設けること自体は、格別の発明力を要することなく適宜に採用し得る範囲内のものと認める。
［相違点２について］
　ディスクの再生態様は、刊行物１記載の発明においても、ディスクに記録されている情報内容に応じて選択されるべきものである。
　そして、複数の画像プログラムが記録されているディスクの場合、ディスクの再生時に、ディスクに記録されているメニュー画面を再生し、メニュー画面から再生すべきプログラムを選択し、適切に選択されたプログラムを画像表示することは刊行物２に記載されている。本件発明における希望チャプターの選択及び出画に相当するものと認める。
　更に、刊行物２には、メニュー画面出力ステップ４１の前段のステップ４０は、ディスクを駆動するステップとされており、ディスクは規定回転数で回転されていることは明らかである。
　結局、相違点２において、本件発明が採用した点は、刊行物２記載の再生態様に基づいて、刊行物１記載の発明においても、格別の発明力を要すことなく、適宜に採用し得る範囲内のものと認める。
［相違点３について］
　刊行物１記載の発明は、書込／読出を可能とするディスク装置に関するものであって、リード、ライト、イレーズなどの動作態様によって、必要とするレーザダイオードの発光量が異なることに対応しようとするものである。
　更に、レーザダイオードの素子自体のバラつき、設定時のバラつき等により一義的に発光制御電流を規定することができないことに対応しようとするものである。
　これに対して、本件発明は、ディスクの装填から希望チャプターの選択出画までの間、いずれにも、レーザ発光量の調整処理に関するステップは規定されていないし、本件訂正明細書及び特許明細書にもそれに関連した記載は見いだせない。
　本件発明は、レーザダイオードの発光量調整に対する初期化処理が不要なものであることを前提として成されたものであることは明らかである。
　そして、刊行物１記載の発明においても、ディスク装置の動作態様が種々の動作態様に対応しようとするものでなく、レーザダイオードの素子自体のバラつき、設定時のバラつき等がなく、一義的に発光制御電流が規定できるとの前提があれば、レーザダイオードの発光量調整に対する初期化処理が不要なことは明らかであり、ディスク回転中に実行する初期化処理をフォーカス調整のみとし、ディスク・モータの立ち上げステップの直後に他のステップを介在させることなくフォーカスサーチのステップを実行するようにすることは、格別の発明力を要すことなく、適宜に採用し得る範囲内のものと認める。
　以上のとおり、本件発明が各相違点で採用した点は、いずれも、刊行物１記載の発明においても、格別の発明力を要すことなく、適宜に採用し得る範囲内のものと認められ、結局、本件発明は、刊行物１記載の発明及び刊行物２記載の発明に基づいて当業者が容易に発明し得たものと認める。
　したがって、本件特許は、特許法第29条第2項の規定に違反してなされたものである。
　よって、結論のとおり決定する。　　
【異議決定日】
平成１２年７月１１日（２０００．７．１１）
【訂正の要旨】
訂正の要旨
特許明細書の特許請求の範囲の記載
「【請求項１】ディスクを装填し、チャッキング終了後、ディスク・モータの立ち上げステップ、フォーカス・サーチのステップ、フォーカスクローズの確認ステップを順に実行してから、上記ディスク・モータの回転が定常回転であるかを確認し、希望チャプターの選択に入るような時間順序で立ち上げることにより、希望チャプターを選択して出画するディスクプレーヤの立ち上げ方法において、前記フォーカス・サーチのステップを前記ディスク・モータの立ち上げステップの直後に他のステップを介在させることなく実行させることを特徴とするディスクプレーヤの立ち上げ方法。」を、特許請求の範囲の減縮及び明瞭でない記載の釈明を目的として、
「【請求項１】ディスクを装填し、チャッキング終了後、ディスク・モータの立ち上げステップ、フォーカス・サーチのステップ、フォーカスクローズの確認ステップを順に実行してから、上記ディスク・モータの回転が定常回転であるかを確認し、希望チャプターの選択に入るような時間順序で立ち上げることにより、希望チャプターを選択して出画するディスクプレーヤの立ち上げ方法において、前記フォーカス・サーチのステップを前記ディスク・モータの立ち上げステップの直後に他のステップを介在させることなく実行させ、前記ディスク・モータの回転が定常回転に達するまでに要する時間内に、前記フォーカスクローズの確認ステップを終了することを特徴とするディスクプレーヤの立ち上げ方法。」と訂正する。
（５４）【発明の名称】
ディスクプレーヤの立ち上げ方法
（５７）【特許請求の範囲】
　　【請求項１】　ディスクを装填し、チャッキング終了後、ディスク・モータの立ち上げステップ、フォーカス・サーチのステップ、フォーカスクローズの確認ステップを順に実行してから、上記ディスク・モータの回転が定常回転であるかを確認し、希望チャプターの選択に入るような時間順序で立ち上げることにより、希望チャプターを選択して出画するディスクプレーヤの立ち上げ方法において、前記フォーカス・サーチのステップを前記ディスク・モータの立ち上げステップの直後に他のステップを介在させることなく実行させ
、前記ディスク・モータの回転が定常回転に達するまでに要する時間内に、前記フォーカスクローズの確認ステップを終了す
【発明の詳細な説明】
　　　【０００１】
　　【産業上の利用分野】
　本発明は、ディスクの情報の記録及び／または再生に際してのディスクプレーヤの立ち上げ方法に関するものである。
　　　【０００２】
　　【従来の技術】
　通常、ディスクを装填したあと、希望チャプターを選択して出画するまでの立ち上げを行なうディスクプレーヤの立ち上げ方法は、図３に示すようなフローに従って制御される。すなわち、ディスクをプレーヤの装填口から挿入した後、先ず、ステップＳ３０１で上記ディスクがチャッキングされたか否かのチェックがなされる。上記チャッキングが確認されたなら、ステップＳ３０２に移行してディスクの最外側でフォーカス・サーボによって光学ヘッドの対物レンズのフォーカス制御がなされ（フォーカス・サーチ）、ステップＳ３０３で上記フォーカスサーボによるフォーカス制御が完了したか否かが確認されたならば（フォーカス・クローズ）、この段階でステップＳ３０４に移行しディスク１モータを立ち上げ、ステップＳ３０５で定常回転まで上記ディスク・モータの回転数が上昇したか否かが判定される。そして、定常回転までディスク・モータが駆動されたならば、ステップＳ３０６に移行して希望チャプターの選択がなされ、その希望チャプターに光学ヘッドがシーク動作された段階で、ステップＳ３０７においてディスクからの読取りがなされ、出画するのである。
　　　【０００３】
　　【発明が解決しようとする課題】
　しかしながら、このような時間順序でシステム制御する場合には、ディスクの装填から出画までの時間Ｔは、図３に示すようにＴ＝ｔ１＋ｔ２＋ｔ３＋ｔ４となり、かなりの時間を費やすことになる。当然のことながら、この時間ロスは出来るだけ短いことが望まれている。
　　　【０００４】
　本発明は上記事情に基いてなされたもので、ディスク・モータの立ち上げから定常回転までの回転数上昇に要する時間が、フォーカス・サーチからクローズまでの時間よりも、大幅に長い点に着目してなされたもので、各ステップの組替えによって、実質的に時間短縮を実現できるようにしたディスクプレーヤの立ち上げ方法を提供しようとするものである。
　　　【０００５】
　　【課題を解決するための手法】
　このため、本発明では、ディスクを装填し、チャッキング終了後、ディスク・モータの立ち上げステップ、フォーカス・サーチのステップ、フォーカスクローズの確認ステップを順に実行してから、上記ディスク・モータの回転が定常回転であるかを確認し、希望チャプターの選択に入るような時間順序で立ち上げることにより、希望チャプターを選択して出画するディスクプレーヤの立ち上げ方法において、前記フォーカス・サーチのステップを前記ディスク・モータの立ち上げステップの直後に他のステップを介在させることなく実行させるものである。
　　　【０００６】
　　【作用】
　本発明の方法によれば、ディスクのチャッキング後、ディスク・モータを立ち上げ、その立ち上げ時間から定常回転になるまでの長い時間の間にフォーカス・サーチを行ってフォーカスをクローズできるので、希望チャプター選択に入る時間が短くなる。
　　　【０００７】
　　【実施例】
　以下、本発明の実施例を図１および図２を参照しながら具体的に説明する。図において、符号１はディスクプレーヤの装置本体であり、その装填口１Ａから内部に装填されたディスク２はスピンドル・モータ３で駆動されるチャッキング部４に所要の手段でチャッキングされる。
　　　【０００８】
　一方、上記ディスク２の半径方向にシーク動作する光学ヘッド５は、上記ディスク２の記録面に対向して対物レンズ６を装備しており、上記対物レンズ６はそこに装備したアクチュエータ７でフォーカス制御およびトラッキング制御されるようになっている。
　　　【０００９】
　そして、本実施例では、ディスクをチャッキング部に装填したあと、希望チャプターを選択して出画するまでの立ち上げを行なうディスクプレーヤの立ち上げ方法が、図２に示すようなフローに従って制御される。
　　　【００１０】
　すなわち、ディスク２をプレーヤの装填口１Ａから挿入した後、先ず、ステップＳ２０１で上記チャッキング部４に対して上記ディスク２がチャッキングされたか否かのチェックがなされる。
　　　【００１１】
　上記チャッキングが確認されたならステップＳ２０２に移行して、ディスク・モータ３を立ち上げ、ステップＳ２０３に移行して、ディスク２の最外側でフォーカス・サーボ（検出光学系および上記アクチュエータなどからなる）によって、光学ヘッド５の対物レンズ６のフォーカス制御がなされる（フォーカス・サーチ）。
　　　【００１２】
　次に、ステップＳ２０４で上記フォーカス・サーボによるフォーカス制御が完了したか否かが確認されたならば（フォーカス・クローズ）、この段階で、ステップＳ２０５に移行し、定常回転まで上記ディスク・モータ３の回転数が上昇したか否かが判定される。
　　　【００１３】
　そして、定常回転までディスク・モータが駆動されたならば、ステップＳ２０６に移行して希望チャプターの選択がなされ、その希望チャプターに光学ヘッドがシーク動作された段階で、ステップＳ２０７においてディスクからの読取りがなされ出画するのである。
　　　【００１４】
　このように、ディスク・モータ３を立ち上げてから、それが定常回転になる間に、フォーカス・サーチからフォーカス・クローズまでを実施するために、タイム・テーブル上では、ｔ３の区間にｔ２の区間が入り込み、全体として、Ｔ’＝ｔ１＋ｔ３＋ｔ４となるから、Ｔ’＝Ｔ−ｔ２の時間短縮となる。
　　　【００１５】
　　【発明の効果】
　本発明は、以上詳述したように、フォーカス・サーチステップをディスク・モータの立ち上げステップ直後に開始し、フォーカスクローズを確認した後に、ディスク・モータの回転が定常回転であるかを確認するようにしたので、ディスク・モータの立ち上げから定常回転に達するまでに要する時間内に、フォーカス・サーチ開始からフォーカスクローズまでの制御を終了することができ、実質的に出画までの時間短縮を実現できるという効果がある。
【図面の簡単な説明】
　　【図１】
　本発明の１実施例を示す概略構成図である。
　　【図２】
　上記実施例のフローチャートである。
　　【図３】
　従来例のフローチャートである。
　　【符号の説明】
　１　ディスクプレーヤの装置本体
　１Ａ　装填口
　２　ディスク
　３　スピンドル・モータ
　４　チャッキング部
　５　光学ヘッド
　６　対物レンズ
　７　アクチュエータ